(57)【要約】      （修正有）【課題】閉鎖水域の水質を安全かつ効果的に低コストで浄化し、浄化状態を維持・向上させることのできる浄水装置を提供する。【解決手段】浄水装置１は、プール、養魚場その他の閉鎖水域Ｐの水をくみ上げて落水させる揚水機構２と、揚水機構２によりくみ上げられ落とされた水を受けてこれを浄化処理し閉鎖水域Ｐに戻すための浄水処理部５とからなり、浄水処理部５は、処理対象の水が触れる接触部に浄水機能を有する触媒層６が設けられた受水体７によりなることを基本的構成とする。揚水機構２は、揚水ポンプ２１と揚水パイプ２３とからなる。【選択図】図１
0003120125.tif 000002
【実用新案登録請求の範囲】
【請求項１】
池、プール、貯水池、養魚場その他の閉鎖水域もしくは港湾その他の準閉鎖水域、または閉鎖していない水域のいずれかの水域の水を浄化するために設置して用いる浄水装置であって、該装置は、該水域の水をくみ上げて落水させる揚水機構と、該揚水機構によりくみ上げられ落とされた水を受けてこれを浄化処理し該水域に戻すための浄水処理部とからなり、該浄水処理部は、処理対象の水が触れる接触部に浄水機能を有する触媒層が設けられた受水体によりなることを特徴とする、浄水装置。
【請求項２】
前記受水体は前記水域への水の降下を導くことのできる導水構造をなしていることを特徴とする、請求項１に記載の浄水装置。
【請求項３】
前記導水構造は一貫した流路をなして形成されていることを特徴とする、請求項２に記載の浄水装置。
【請求項４】
前記導水構造はカスケード式に構成された複数の受水小体から形成されていることを特徴とする、請求項２に記載の浄水装置。
【請求項５】
前記受水体の流路幅または受水小体のサイズは、下方ほど大きくなるよう形成されていることを特徴とする、請求項３または４に記載の浄水装置。
【請求項６】
前記受水体は、下方に拡径する螺旋状をなして形成されていることを特徴とする、請求項３ないし５のいずれかに記載の浄水装置。
【請求項７】
前記受水体は、前記揚水機構において水をくみ上げる揚水パイプを軸としてその周囲に設けられることを特徴とする、請求項１ないし６のいずれかに記載の浄水装置。
【請求項８】
前記流路または受水小体は、軸方向に傾斜して形成されていることを特徴とする、請求項７に記載の浄水装置。
【請求項９】
前記触媒は光触媒であることを特徴とする、請求項１ないし８のいずれかに記載の浄水装置。
【考案の詳細な説明】
【技術分野】
【０００１】
本考案は浄水装置に係り、特に、庭園の池、ゴルフ場の池、貯水池、内水面養魚場、その他の小規模な閉鎖水域あるいは準閉鎖水域または閉鎖していない水域に設置し、これらの水域の水質を、安全かつ効果的に、低コストで浄化することができ、かつその後の水質浄化状態を維持・向上させる環境を形成することのできる浄水装置に関する。
【背景技術】
【０００２】
従来、池沼等屋外の水域の水質を浄化する方法としては、浚渫、微生物濾過器、微生物連続投入、薬剤を用いた消毒などがある。しかし浚渫は、高コストであり、環境を変化させるものではないため水質維持のために定期的な作業が必要なる上、廃棄汚泥処理の問題がある。また微生物濾過器は、導入コスト、ランニングコストともに高く、洗浄、濾材交換といった定期的なメンテナンスが必要な上、バクテリアのハンドリングが難しいという問題がある。
【０００３】
また微生物連続投入は、微生物製剤が高く、環境によっては望ましい微生物が繁殖するとは限らないどころか、逆に予期せぬ生態系の変化の原因となる恐れがあり、やはり問題がある。さらに薬剤による消毒では、広範に亘る生物を死滅させてしまい、生態系保護・環境保護上好ましくない上、消毒剤として塩素を用いた場合には、トリハロメタンその他の環境に負荷のある物質その他の有害物質が生成され、二次汚染が発生するという問題がある。
【０００４】
かかる状況下、近年は光触媒を利用した水質浄化技術が各種提案されている。たとえば特許電子図書館（ＩＰＤＬ）の特実公報テキスト検索を試みると、下記のような技術の開示を知ることができる。
検索条件  要約＋請求の範囲＝（光触媒ＯＲ浄水）ＡＮＤ（池ＯＲ養魚場）ＡＮＤ（装置ＯＲ機ＯＲシステム）
検索結果（４種別の公報全体で）
１．特開２００５−１２４７９７  殺菌装置  
２．特開２００１−０７９５４５  水浄化装置  
３．特開２０００−１２１１０６  空気調和機の室外機  
４．特開平１１−３４７５７３  配水池における高度浄水処理方法および高度浄水処理機能を有する配水池  
５．特開平１１−１５１４８６  高度浄水処理池および同用光触媒体  
【０００５】
このうち、上記２．（特許文献１）は、枠体の内部左右に光触媒、中央に整流板を配置し、枠体の下部にフロートを配置し、フロート部の中央下部に搬送管を鉛直方向に連結し、連結部の開口に交叉するように整流板を設置し、開口から流出する原水が、整流板の下面に衝突して平らな流れに整流され、触媒反応領域全域に這うように流れ、搬送管内にはスクリューを設け、強制的に処理水を搬送可能な水浄化装置の構成を提案している。
【０００６】
また、上記５．（特許文献２）は、既存設備に設置が可能な高度浄水処理池として、浄水施設における浄水池または配水池の内部に、人工光源と表面に酸化チタンを焼成した透明な光触媒体を所定の間隔で多数設け、光触媒体の少なくとも一部が池内に貯留される浄水中に常時浸漬状態となるように梁部材に吊されて配置される構成を提案している。
【０００７】
【特許文献１】特開２００１−０７９５４５「水浄化装置」
【特許文献２】特開平１１−１５１４８６「高度浄水処理池および同用光触媒体」
【考案の開示】
【考案が解決しようとする課題】
【０００８】
しかしながら、上述各特許文献に開示された技術も含め、光源として自然光（太陽光）を効率良く利用できるとともに、光触媒の反応面積を広く確保でき、かつ自然光にせよ人工灯にせよ光の減衰がより防止できる空気中において分解が可能であり、かつゴルフ場・庭園・公園などの池、養殖池、港湾などに設置しても美観向上に寄与し得るようなデザイン設計の可能な浄水装置の提案は、未だなされていない。
【０００９】
池沼、港湾その他の閉鎖水域あるいは準閉鎖水域は特に、有機物の流入・酸素の欠乏によって汚染されやすく、悪臭発生源となったり、衛生害虫・有害菌の温床となり、藻類の発生によって美観を損ねるなどの問題を引き起こしやすい。また、魚介類・藻類の養殖施設においては、水質維持・病気予防のために多大なコストがかかる。このような水域においては、対症療法的ではなく水域自体の環境を自然に改良して、良好な環境自体を形成できるような手段が望ましい。
【００１０】
本考案が解決しようとする課題は、かかる上記従来技術の欠点をなくし、庭園の池、ゴルフ場の池、貯水池、養殖施設、内水面養魚場、港湾その他の閉鎖水域もしくは準閉鎖水域に設置し、または閉鎖しているか否かに関わらず水域に設置し、これらの水域の水質を、安全かつ効果的に低コストで浄化することができ、かつその後の水質浄化状態を維持・向上させる環境を形成することのできる浄水装置を提供することである。
【課題を解決するための手段】
【００１１】
本願考案者は上記課題について検討した結果、処理対象水を揚水して空気中でこれを効率的に浄化処理して水域に戻す構成を発案し、本考案に至った。すなわち、上記課題を解決するための手段として本願で実用新案登録請求される考案、もしくは少なくとも開示される考案は、以下の通りである。
【００１２】
（１）  池、プール、貯水池、養魚場その他の閉鎖水域もしくは港湾その他の準閉鎖水域、または閉鎖していない水域のいずれかの水域の水を浄化するために設置して用いる浄水装置であって、該装置は、該水域の水をくみ上げて落水させる揚水機構と、該揚水機構によりくみ上げられ落とされた水を受けてこれを浄化処理し該水域に戻すための浄水処理部とからなり、該浄水処理部は、処理対象の水が触れる接触部に浄水機能を有する触媒層が設けられた受水体によりなることを特徴とする、浄水装置。
（２）  前記受水体は前記水域への水の降下を導くことのできる導水構造をなしていることを特徴とする、（１）に記載の浄水装置。
（３）  前記導水構造は一貫した流路をなして形成されていることを特徴とする、（２）に記載の浄水装置。
（４）  前記導水構造はカスケード式に構成された複数の受水小体から形成されていることを特徴とする、（２）に記載の浄水装置。
（５）  前記受水体の流路幅または受水小体のサイズは、下方ほど大きくなるよう形成されていることを特徴とする、（３）または（４）に記載の浄水装置。
（６）  前記受水体は、下方に拡径する螺旋状をなして形成されていることを特徴とする、（３）ないし（５）のいずれかに記載の浄水装置。
（７）  前記受水体は、前記揚水機構において水をくみ上げる揚水パイプを軸としてその周囲に設けられることを特徴とする、（１）ないし（６）のいずれかに記載の浄水装置。
（８）  前記流路または受水小体は、軸方向に傾斜して形成されていることを特徴とする、（７）に記載の浄水装置。
（９）  前記触媒は光触媒であることを特徴とする、（１）ないし（８）のいずれかに記載の浄水装置。
【考案の効果】
【００１３】
本考案の浄水装置は上述のように構成されるため、これによれば、池沼、養殖施設その他の閉鎖水域あるいは準閉鎖水域または閉鎖していない水域の水質を、安全かつ効果的に低コストで浄化でき、かつその後の水質浄化状態を維持・向上させる環境を形成することができる。特に閉鎖水域あるいは準閉鎖水域に対してこれらの効果を高く発揮することができる。
【００１４】
本考案装置によれば、ローコストで継続的かつ効率の良い水質改善が行え、衛生上の問題を解決できる上、好ましい美観を提供することもできる。特にゴルフ場・庭園・公園等の池沼など美観も重要視される水域においても、何ら問題なく設置することができ、むしろ美観向上に寄与することができる。
【００１５】
本考案装置による、環境浄化に留まらず浄化状態を維持し、さらに良好な水環境を形成できる効果についてさらに述べれば、本装置により浄化された水を利用して生きる水棲生物または産業上有用な動植物の、その後の健全な成長を促すことができ、消毒薬・水質改善薬・農薬等による汚染履歴が既にあった場合でも、これを浄化して二次汚染を低減し、ひいては環境の安全性の向上、さらには生産される食糧の安全性向上にも資する。
【００１６】
また、他の水質浄化方法との併用においても、他の方法の欠点を補うのみならず、他の方法を用いる効果を一層生かすことができる。たとえば、浚渫に本装置を併用すれば、浚渫の回数を減らすことができ、本装置によって環境を徐々に変化させることができるため、長く安定した効果が得られる。また、浚渫に伴う廃棄汚泥は不産出か、もしくは産出を相当程度抑制することができる。なお、浚渫後に本装置を設置することは、本装置の特徴を活かし、水質浄化作用をより早期に得るために有効である。
【００１７】
また、本装置と微生物濾過器の併用の長所は、本装置が環境を徐々に変化させるものであるため、安定したバクテリアフローラを池沼等内に形成することができ、微生物濾過器の性能を向上させることができることである。
【考案を実施するための最良の形態】
【００１８】
以下、本考案を図面により詳細に説明する。特に以下の説明では、プール、養魚場その他の閉鎖水域、または港湾その他完全に閉鎖されてはいないが外部との間における水の移動がさほどない水域である準閉鎖水域において、本考案を用いる例を主として説明する。
図１は、本考案の浄水装置の基本的構成を示す概念的な説明図である。図示するように本装置１は、閉鎖水域または準閉鎖水域Ｐ（以下、単に「閉鎖水域Ｐ」という）の水をくみ上げて落水させる揚水機構２と、該揚水機構２によりくみ上げられ落とされた水を受けてこれを浄化処理し該閉鎖水域Ｐに戻すための浄水処理部５とからなり、該浄水処理部５は、処理対象の水が触れる接触部に浄水機能を有する触媒層６が設けられた受水体７によりなることを、基本的構成とする。該揚水機構２は、揚水ポンプ２１とこれにより汲み上げられる水を送水する揚水パイプ２３とからなる。
【００１９】
かかる構成により、本浄水装置１は、図示するようにプール、養魚場その他の閉鎖水域Ｐの水中、もしくは図示しないが該閉鎖水域Ｐから揚水し得る陸上に設置され、該揚水機構２の揚水ポンプ２１により該閉鎖水域Ｐの処理対象水が汲み上げられ、該揚水パイプ２３を通して揚水されて落とされ、落とされた水は該浄水処理部５を構成する該受水体７によって受けられ、浄水処理がなされる。処理対象水は該受水体７上の触媒層６においてなされる分解反応により、窒素化合物・硫化物・種々の有機物その他の処理対象物質が分解され、もって水の浄化がなされ、浄化処理された水は該受水体７を通ってもしくは介して、該閉鎖水域Ｐに落水し、本装置１における浄水処理の１過程が完了する。かかる過程が連続的になされ、該閉鎖水域Ｐ内の水は徐々にその浄化程度が高くなっていく。
【００２０】
本装置１において、前記受水体７は前記閉鎖水域への水の降下を導くことのできる導水構造をなして構成される。以下、該導水構造の例を図を用いて説明する。
【００２１】
図２Ａは、本考案の導水構造の第一のパターンについて、これを水の流下方向に向かって展開してみた場合の側面視の説明図である。図示するように本例の導水構造（受水体）１７は、一貫した流路をなして形成される構成である。
【００２２】
かかる構成により、揚水パイプの排水口１２３から落水される処理対象水は、該導水構造（受水体）１７を重力にしたがって流下し、前記閉鎖水域Ｐに落水される。流下過程において、該導水構造１７の水の接触する表面上に設けられている触媒層１６による触媒反応により、処理対象水は浄化処理されるため、該閉鎖水域Ｐへの落水時には、水はより浄化された状態となっている。
【００２３】
該導水構造１７は、該排水口１２３から単純に鉛直方向に設けられるのではなく、つまり鉛直方向への流下ではなく、鉛直方向に対して角度をもって形成される。かかる構成のために、いわゆる直線状の滑り台状の導水構造１７としてもよいが、これでは設置に相当の平面面積を有するため、後述するようにいわば下方に拡径する螺旋状の滑り台状の構造とすることが望ましい。該導水構造１７を下方に拡径する螺旋状の構造とすれば、太陽光または人工灯の受光の効率が高くなり、反応面積が広く、また空気との接触面積が広くなるため、酸化還元作用によるＢＯＤ、ＣＯＤの低下がなされ、その作用も相俟って水中の溶存酸素量を増大させ、閉鎖水域Ｐ中の好気性菌を活性化することができ、結局本装置１による浄水作用がより高度に発揮される。
【００２４】
図２Ｂは、本考案の導水構造の第二のパターンについて、これを水の流下方向に向かって展開してみた場合の側面視の説明図である。図示するように本例の導水構造（受水体）は、カスケード式に構成された複数の受水小体２７ａ等から形成される構成である。
【００２５】
かかる構成により、揚水パイプの排水口２２３から落水される処理対象水は、該導水構造を構成する該受水小体２７ａ、２７ｂ、２７ｃ、２７ｄ、・・・を、重力にしたがって順に介して落水、流下し、前記閉鎖水域Ｐに落水される。流下過程において、該受水小体２７ａ等の水の接触する表面上に設けられている触媒層２６ａ、２６ｂ、２６ｃ、２６ｄ、・・・による触媒反応により、処理対象水は浄化処理されるため、該閉鎖水域Ｐへの落水時には、水はより浄化された状態となっている。
【００２６】
該導水構造もまた前記導水構造１７と同様に、該排水口２２３から単純に鉛直方向に設けられるのではなく、鉛直方向に対して角度をもって形成され、特に下方に拡径する螺旋状の滑り台状の構造とすることが望ましい。
【００２７】
図３Ａは、図２Ａに示した導水構造について、流路幅サイズに特徴を有する例を示す、これを水の流下方向に向かって展開してみた場合の正面視の説明図である。また、
図３Ｂは、図２Ｂに示した導水構造について、受水小体サイズに特徴を有する例を示す、これを水の流下方向に向かって展開してみた場合の正面視の説明図である。これらに図示するように、本装置の受水体３７の流路幅、または受水小体４７ａ等のサイズは、下方ほど大きくなるよう形成するものとすることができる。
【００２８】
かかる構成により、排水口から落水後、流下するにしたがって増大してくる処理対象水の重力と遠心力による加速を受け止めて、浄水処理効果の低下を防止できるともに、日光等を受けやすくなり、また空気にも接触しやすくなるため、浄水処理効果に寄与する。
【実施例】
【００２９】
以下、本考案の実施例について説明するが、本考案はこれらの実施例に限定されるものではない。
＜実施例１＞
図４は、追って詳述する本考案の実施例１に係る導水構造（受水体）の構成を示す側面図である。図示するように本実施例１の受水体５７は、下方に拡径する螺旋状をなして形成される。かかる構成により、太陽光等光源からの受光効率が高くなり、反応面積が広くなり、また空気との接触面積が広くなるため、酸化還元作用によるＢＯＤ、ＣＯＤの低下との相乗効果で、水中の溶存酸素量を増大させ、環境水中の好気性菌を活性化する。また美観上有用なデザインを提供することにもなる。
【００３０】
図５は、実施例１の水上部の要部構成を示す側面図である。また、
図６は、図５のヘッド部の断面図、
図７は、実施例１の使用例を示す説明図である。これらに実施例を図示するように、本考案浄水装置５１は、揚水機構を構成しかつ受水体５７の支柱を兼ねる揚水パイプ５２３と、該揚水パイプ５２３を軸としてその周囲に設けられる下方拡径の螺旋状の受水体５７とを備えてなり、さらに、該揚水パイプ５２３の上端には揚水された水を受けて下方に反射するヘッド部５２４が設けられる。該ヘッド部５２４は図示するように、椀状形状に形成してこれを該揚水パイプ５２３の上端に支持部材５２５により固着させて構成することができる。
【００３１】
かかる構成により、揚水機構を構成する揚水ポンプ５２１によりくみ上げられた処理対象水は、支柱を兼ねる該揚水パイプ５２３を通って上昇し、椀状の該ヘッド部５２４に噴射されて該ヘッド部５２４の全周方向に均等に拡散して、前記受水体５７の上端部に対して落水する。該受水体５７の表面には、処理対象水中の有機物等を分解するための触媒層が設けられているため、処理対象水は、下方に拡径しつつかつ下方に漸増する幅を有する螺旋状の導水構造たる該受水体５７を流下していくことによって、触媒による分解反応と曝気が行われ、最終的に、処理前よりも浄化された状態で閉鎖水域Ｐ５に戻る。
【００３２】
該ヘッド部５２４と揚水パイプ５２３、および支持部材の材料としては、ステンレス鋼その他の金属を好適に用いることができるが、本考案はこれらに限定されるものではなく、樹脂、石材、セラミックス等、適宜の材料を用いることができる。
【００３３】
なお本装置５１の実際の設置にあたっては、該揚水パイプ５２３の高さの調節は、設置場所の水深に応じて調節すべきこと、本装置５１を水中に設置する場合、土台５９はタイルもしくは石材が敷かれているか、それとも泥か、あるいは砂地かなど水底の状態によって適宜の構造のものを用いるべきこと、該揚水ポンプ５２１の能力、電源はソーラーパネルシステム５２８の採否を含め、またＤＣ型、ＡＣ型かを含めて適宜仕様のものを採用できること、そして該揚水ポンプ５２１は使用対象水域の水質に応じて、淡水型・塩水型を選択すべきこと、等が考慮される。
【００３４】
ここで、図７により、実施例１を含む本考案浄水装置の浄水作用機序について改めて説明する。
閉鎖水域Ｐ５が初期的に呈する汚濁状態としては、次のようなものがある。
〈ｉ〉有機または無機の汚濁物質（ヘドロＨ含む）の存在
〈ii〉富栄養状態（窒素・リンが過剰）による、藻類Ｍの繁殖
〈iii〉ヘドロＨ等の汚濁物質・藻類Ｍなどによる透明度の低下
〈iv〉貧酸素状態による嫌気性バクテリア・病原菌・赤潮の発生、さらにはメタンなどの臭気性ガスの発生
【００３５】
このような状態が、浄水装置５１を設置してこれを運転することにより、上述の浄水作用がなされ、水域Ｐ５は最終的な清澄状態へと向かって水質の浄化がなされ、水域の環境が自然と改善されていく。つまり次のような状態となる。
〈１〉有機または無機の汚濁物質（ヘドロＨ含む）の減少
〈２〉貧栄養状態による藻類Ｍの減少もしくは繁殖抑制
〈３〉透明度の向上
〈４〉富酸素状態による好気性バクテリアＢによる有機物・ヘドロ等の分解、水棲生物Ｆ、Ｇの成育、さらに好気性バクテリアＢの生物作用による水質の浄化
【００３６】
かかる環境改善をなさしめる個別の物質・生物ごとにおけるメカニズムの概要は次の通りである。
（Ｉ）有機または無機の汚濁物質：本考案装置による直接分解
（II）藻類Ｍ：装置による直接分解、および貧栄養化による繁殖抑制
（III）好気性バクテリアＢ：富酸素化による繁殖と、それによる水質の浄化
（IV）ヘドロＨ：直接分解、好気性バクテリアによる分解
（Ｖ）水棲生物（魚類Ｆその他の動物）：富酸素化による生育
（VI）水棲生物（水草その他の植物Ｇ）：透明度向上による生育、光合成による二酸化炭素吸収と酸素排出、および養分としての富栄養物質の吸収
すなわち、本浄水装置５１の使用が清澄化の契機となり、水の浄化力が増し、水域Ｐ５の水質を加速度的に清澄化に向かわせることができる。
【００３７】
図８は、実施例１の受水体構造構成例の要部構成を示す側面視の説明図である。図示するように本装置では、前記流路（８７）または受水小体は、軸８２３方向に対して傾斜して形成されたものとすることができる。かかる構成により、受水体８７を流下する処理対象水の遠心力による外方への飛散を防止して、受水体８７上から外れないように流下させることができる。該受水体５７は流路を構成するよう凹状に成形され、その表面に触媒層が設けられるため、処理対象水は流路を流下しながら触媒層による分解処理を受ける。以上の作用は、後述する実施例２の受水小体構造においても同様である。
【００３８】
前記傾斜の角度Θは、概ね５°前後とすることによって良好な結果が得られるが、これに限定されるものではない。
【００３９】
前記触媒層としては、従来公知の種々の触媒を用いることができるが、特に浄水処理目的を有する本考案装置では、光触媒を用いるものとすることができる。光触媒による触媒層は、前記受水体の表面上に塗布、接着または鍍金等の処理によって被膜を構成することをもって設けることができる。あるいはまた、光触媒そのものによって受水体を構成することも、本考案からは排除されない。光触媒の種類としては、従来多用されているアナターゼ型二酸化チタン、またはルチル型その他のチタン化合物を用いることができるが、紫外線または可視光によって酸化還元作用の得られる触媒作用のある物質、いわゆる光触媒作用をもつものである限り特に限定せずに用いることができる。したがって、他の物質の採用も排除されない。
【００４０】
＜実施例２＞
図９は、  本考案の実施例２に係る導水構造（受水小体）を含む要部構成を示す、斜め下方からの写真図である。また、
図１０は、実施例２の要部構成の設計図（縦方向断面）、
図１１は、実施例２の要部構成の設計図（水平方向格段の断面）であり、特に受水小体の設置例を示すものである。これらに図示するように、本実施例２はその受水体（導水構造）が、受水小体９７ａ、９７ｂ、・・・等の受水小体からなることの他は、上述実施例１と同様の構成を備える。
【００４１】
かかる構成により、揚水ポンプによりくみ上げられた処理対象水は、支柱を兼ねる該揚水パイプ９２３を通って上昇し、椀状のヘッド部９２４に噴射されて該ヘッド部９２４の全周方向に均等に拡散して、受水小体９７ａに対して落水する。その後、支柱たる揚水パイプ９２３に段差をもって取り付けられた各受水小体９７ｂ、９７ｃ、・・・を順に介して落水、流下し、その過程で上記触媒層による分解反応によって浄化処理を受け、水域Ｐ９に戻る。本装置の運転により、かかる１サイクルが継続的に繰り返されることによって、所定の水質浄化効果が得られる。
【００４２】
これらの図に示すように、該ヘッド部９２４の直下、最上部の受水小体９７ａの直上には、該ヘッド部９２４からの落水をまず一旦受け止めるための初期受水体９２６を設けることができる。これにより、一旦落水を該初期受水体９２６にて受止め、衝撃をやわらげた状態で該受水小体９７ａへの落水をさせることができる。
【産業上の利用可能性】
【００４３】
本考案は以上のように構成されその作用効果を発揮するため、農業用・治水用の溜池、ゴルフ場・庭園・公園などの池、養殖池、港湾、その他の閉鎖水域または準閉鎖水域の水質の浄化に大いに利用価値がある。
【図面の簡単な説明】
【００４４】
【図１】本考案の浄水装置の基本的構成を示す概念的な説明図である。
【図２Ａ】本考案の導水構造の第一のパターンについて、これを水の流下方向に向かって展開してみた場合の側面視の説明図である。
【図２Ｂ】本考案の導水構造の第二のパターンについて、これを水の流下方向に向かって展開してみた場合の側面視の説明図である。
【図３Ａ】図２Ａに示した導水構造について、流路幅サイズに特徴を有する例を示す、これを水の流下方向に向かって展開してみた場合の正面視の説明図である。
【図３Ｂ】図２Ｂに示した導水構造について、受水小体サイズに特徴を有する例を示す、これを水の流下方向に向かって展開してみた場合の正面視の説明図である。
【図４】本考案の実施例１に係る導水構造（受水体）の構成を示す側面図である。
【図５】実施例１の水上部の要部構成を示す側面図である。
【図６】図５のヘッド部の断面図である。
【図７】実施例１の使用例を示す説明図である。
【図８】実施例１の受水体構造構成例の要部構成を示す側面視の説明図である。
【図９】本考案の実施例２に係る導水構造（受水小体）を含む要部構成を示す、斜め下方からの写真図である。
【図１０】実施例２の要部構成の設計図（縦方向断面）である。
【図１１】実施例２の要部構成の設計図（水平方向格段の断面）である。
【符号の説明】
【００４５】
１…浄水装置
１２３、２２３…排水口
２…揚水機構
２１…揚水ポンプ
２３…揚水パイプ
５…浄水処理部
６、１６…触媒層
２６ａ、２６ｂ、２６ｃ、２６ｘ、２６ｙ…触媒層
７、１７、３７…受水体
２７ａ、２７ｂ、２７ｃ、２７ｘ、２７ｙ、４７ａ、４７ｂ、４７ｃ、４７ｄ、４７ｅ、４７ｆ…受水小体
Ｐ…閉鎖水域
【００４６】
５１…浄水装置
５２１…揚水ポンプ
５２３、８２３…揚水パイプ
５２４…ヘッド部
５２５…支持部材
５２８…ソーラーパネルシステム
５７、８７…受水体
５９…土台
Ｐ５…閉鎖水域
Ｂ…好気性バクテリア
Ｆ…魚類
Ｇ…植物
Ｈ…ヘドロ
Ｍ…藻類
Θ…角度
【００４７】
９２３…揚水パイプ
９２４…ヘッド部
９２６…初期受水体
９７ａ、９７ｂ、９７ｃ、・・・９７ｔ…受水小体
Ｐ９…閉鎖水域
Ｗ…水
【図１】
0003120125.tif 000003
【図２Ａ】
0003120125.tif 000004
【図２Ｂ】
0003120125.tif 000005
【図３Ａ】
0003120125.tif 000006
【図３Ｂ】
0003120125.tif 000007
【図４】
0003120125.tif 000008
【図５】
0003120125.tif 000009
【図６】
0003120125.tif 000010
【図７】
0003120125.tif 000011
【図８】
0003120125.tif 000012
【図１０】
0003120125.tif 000013
【図１１】
0003120125.tif 000014
【図９】
0003120125.tif 000015